(57)【要約】【課題】照明器具の光の照射効率を上げることを目的とする。【解決手段】棚下用照明器具１０は、器具本体１１のほか、器具本体１１の開口１８を覆うように設置されるリニアフレネルレンズ１２、器具本体１１の長手方向の両端に取り付けられる１対の端板１３、器具本体１１の内部に設置される基板２０を備える。２つ以上のＬＥＤ２２を直線状に並べたＬＥＤパッケージ２１を基板２０の表面に直線状に並べることで、基板２０の上に複数のＬＥＤ２２が直線状に配置される。棚下用照明器具１０は、基板２０の複数のＬＥＤ２２が直線状に並ぶ面が、表面に複数の直線状プリズムを設けたリニアフレネルレンズ１２と向き合い、かつ、複数のＬＥＤ２２が並ぶ直線方向と複数の直線状プリズムの直線方向とが略平行になるように構成されている。【選択図】図３
2008218186.tif 000002
【特許請求の範囲】
【請求項１】
底面の少なくとも一部分に開口を設けた器具本体と、表面に複数の直線状プリズムを設けたリニアフレネルレンズと、表面に複数のＬＥＤを直線状に並べた基板とを備える照明器具であって、
前記リニアフレネルレンズは、前記開口を覆うように前記器具本体に設置され、
前記基板は、前記複数のＬＥＤが並ぶ面が前記リニアフレネルレンズと向き合い、かつ、前記複数のＬＥＤが並ぶ直線方向と前記複数の直線状プリズムの直線方向とが略平行になるように前記器具本体に設置されることを特徴とする照明器具。
【請求項２】
前記基板は、前記複数のＬＥＤとして、２つ以上のＬＥＤを直線状に並べたＬＥＤパッケージを２つ以上直線状に並べたことを特徴とする請求項１に記載の照明器具。
【請求項３】
前記器具本体は、長手状に形成され、
前記リニアフレネルレンズは、前記複数の直線状プリズムの直線方向と前記器具本体の長手方向とが略平行になるように前記器具本体に設置されることを特徴とする請求項１に記載の照明器具。
【請求項４】
前記リニアフレネルレンズと前記基板とは、前記複数のＬＥＤを光源として前記リニアフレネルレンズから出射される光の前記器具本体の短手方向における１／２ビーム角が４０度以上７０度以下となる位置関係をもつように前記器具本体に設置されることを特徴とする請求項３に記載の照明器具。
【請求項５】
前記器具本体は、前記開口として、前記器具本体の短手方向における幅が１０ミリメートル以上１２ミリメートル以下となる開口を設け、
前記リニアフレネルレンズと前記基板とは、前記複数のＬＥＤの前記リニアフレネルレンズを向く面と前記リニアフレネルレンズの前記複数の直線状プリズムが設けられた面との間の距離が２．３ミリメートル以上４．３ミリメートル以下となるように前記器具本体に設置されることを特徴とする請求項３に記載の照明器具。
【請求項６】
前記器具本体は、前記開口の縁部に前記リニアフレネルレンズを挿し込むための溝を形成し、
前記リニアフレネルレンズは、前記器具本体に対して挿抜可能であることを特徴とする請求項１に記載の照明器具。
【請求項７】
前記器具本体は、前記開口の縁部に前記リニアフレネルレンズを異なる位置に挿し込むための複数の溝を形成したことを特徴とする請求項６に記載の照明器具。
【請求項８】
前記リニアフレネルレンズは、表面の一部分に前記複数の直線状プリズムを設け、表面の他の部分に形状又は向きの異なるプリズムを設けたことを特徴とする請求項１に記載の照明器具。
【請求項９】
前記器具本体は、内部に前記基板を挿し込むための溝を形成し、
前記基板は、前記器具本体に対して挿抜可能であることを特徴とする請求項１に記載の照明器具。
【請求項１０】
前記器具本体は、内部に前記基板を異なる位置に挿し込むための複数の溝を形成したことを特徴とする請求項９に記載の照明器具。
【請求項１１】
前記器具本体は、内部に前記基板の片側を引っ掛けるための係止片を設け、
前記基板は、片側が前記係止片に引っ掛けられ、他の片側が前記器具本体にネジ止めされることを特徴とする請求項１に記載の照明器具。
【請求項１２】
前記照明器具は、棚下用照明器具であって、
前記器具本体は、長手状に形成され、
前記照明器具は、さらに、前記器具本体の長手方向の両端に、前記器具本体を棚下に取り付けるためのネジが挿通される穴を設けた端部を備え、
前記端部は、前記器具本体に対して着脱可能であることを特徴とする請求項１に記載の照明器具。
【請求項１３】
前記器具本体は、前記穴に挿通されるネジを誘導する略Ｖ字形の溝を直線状に形成したことを特徴とする請求項１２に記載の照明器具。
【請求項１４】
前記器具本体は、棚下に取り付けられる面に凹凸を設けたことを特徴とする請求項１２に記載の照明器具。
【請求項１５】
前記端部は、前記基板と他の照明器具の基板との通電用の複数の電極を設け、前記器具本体と他の照明器具の器具本体とを連結することを特徴とする請求項１２に記載の照明器具。
【請求項１６】
前記照明器具は、棚下用照明器具であって、
前記器具本体は、長手状に形成され、
前記照明器具は、さらに、前記器具本体の長手方向の両端に、前記器具本体に挿嵌されて前記器具本体を内部から支持する支持軸と前記器具本体を係止して前記器具本体を外部から支持する支持板とを設けた端部を備え、
前記端部は、棚下に取り付けられ、
前記器具本体は、前記支持軸が挿嵌される角度又は前記支持板により係止される角度に応じて、前記複数のＬＥＤを光源として前記リニアフレネルレンズから出射される光の照射角度が調整可能であることを特徴とする請求項１に記載の照明器具。
【発明の詳細な説明】
【技術分野】
【０００１】
本発明は、照明器具に関するものである。本発明は、特に、棚下用照明器具に関するものである。
【背景技術】
【０００２】
従来、照明器具として、光源にＬＥＤを使用するものがある（例えば、特許文献１及び２参照）。また、照明器具として、商品を陳列する什器などの棚下に取り付けて使用する棚下用照明器具がある（例えば、特許文献３参照）。また、複数の照明器具を連結して使用する方法が知られている（例えば、特許文献４参照）。
【特許文献１】特開２００６−２２８５２９号公報
【特許文献２】実開平５−６６８０８号公報
【特許文献３】特開平１０−１９９３２７号公報
【特許文献４】実開平５−８７７２５号公報
【発明の開示】
【発明が解決しようとする課題】
【０００３】
棚下用照明器具としては、光の照射範囲が、棚のサイズや形状あるいは光の照射対象となる物のサイズや形状や配置に合うものを使用することが望ましい。しかしながら、棚あるいは棚に配置される物のサイズや形状は様々であるから、従来は、十分な光の照射範囲を得るために、照射範囲が広い照明器具を使用する必要があった。その結果、無駄な光の照射量が多い、即ち、光の照射効率が悪いという課題があった。また、従来は、照明器具を棚下に取り付けた後に光の照射範囲を調整することができないという課題があった。また、従来は、複数の照明器具を連結して使用する場合、器具間を連結するための電線スペースを確保する必要があり、照明器具を小型化できないという課題があった。棚下用照明器具以外の従来の照明器具についても、同様の課題があった。
【０００４】
本発明は、例えば、照明器具の光の照射効率を上げることを目的とする。
【課題を解決するための手段】
【０００５】
本発明の一の態様に係る照明器具は、
底面の少なくとも一部分に開口を設けた器具本体と、表面に複数の直線状プリズムを設けたリニアフレネルレンズと、表面に複数のＬＥＤを直線状に並べた基板とを備える照明器具であって、
前記リニアフレネルレンズは、前記開口を覆うように前記器具本体に設置され、
前記基板は、前記複数のＬＥＤが並ぶ面が前記リニアフレネルレンズと向き合い、かつ、前記複数のＬＥＤが並ぶ直線方向と前記複数の直線状プリズムの直線方向とが略平行になるように前記器具本体に設置されることを特徴とする。
【発明の効果】
【０００６】
本発明の一の態様によれば、照明器具において、表面に複数の直線状プリズムを設けたリニアフレネルレンズが、底面の少なくとも一部分に開口を設けた器具本体の開口を覆うように前記器具本体に設置され、表面に複数のＬＥＤを直線状に並べた基板が、前記複数のＬＥＤが並ぶ面が前記リニアフレネルレンズと向き合い、かつ、前記複数のＬＥＤが並ぶ直線方向と前記複数の直線状プリズムの直線方向とが略平行になるように前記器具本体に設置されるため、照明器具の光の照射効率が向上する。
【発明を実施するための最良の形態】
【０００７】
以下、本発明の実施の形態について、図を用いて説明する。
【０００８】
実施の形態１．
図１は本実施の形態に係る棚下用照明器具１０の斜視図である。図２の（ａ）は棚下用照明器具１０の正面図、図２の（ｂ）はその底面図、図２の（ｃ）はその側面図である。
【０００９】
棚下用照明器具１０は、商品を陳列する什器などの棚下に取り付けて使用される照明器具である。天井など、棚下以外に取り付けて使用される照明器具についても、本実施の形態と同様の形態を適用することができる。本実施の形態と同様の照明器具は、間接照明としても使用できる。
【００１０】
図１、図２に示すように、棚下用照明器具１０は、長手状に形成された器具本体１１のほか、器具本体１１に対して挿抜可能なリニアフレネルレンズ１２を備える。器具本体１１は、例えばアルミニウム製の平板を図示したような形状に加工したものである。リニアフレネルレンズ１２は、例えばアクリル樹脂からなる透明なレンズ素材により形成されたものである。リニアフレネルレンズ１２の詳細については、後述する。
【００１１】
棚下用照明器具１０は、器具本体１１の長手方向の両端に、器具本体１１に対して着脱可能な１対の端板１３（端部）を備える。それぞれの端板１３には、器具本体１１を棚下に取り付けるためのネジ１４が挿通される穴１５が設けられる。また、端板１３の１つには、棚下用照明器具１０への電力供給用の電線１６を引き込むための穴１７が設けられる。
【００１２】
図３の（ａ）は棚下用照明器具１０の斜視図であり、この図では、器具本体１１から端板１３の１つを取り外し、さらに、リニアフレネルレンズ１２を抜き取った状態の棚下用照明器具１０を示している。
【００１３】
図３の（ａ）に示すように、器具本体１１の底面の少なくとも一部分には、開口１８が設けられる。リニアフレネルレンズ１２は、その開口１８を覆うように器具本体１１に設置される（挿し込まれる）。また、器具本体１１の内部上面には、端板１３の穴１５に挿通されるネジ１４を誘導する略Ｖ字形の溝１９が直線状に形成されている。これにより、器具本体１１を棚下に取り付ける際に、ネジ１４が締め易くなる。
【００１４】
棚下用照明器具１０は、器具本体１１の内部に、器具本体１１に対して挿抜可能な基板２０（モジュール）を備える。基板２０の表面（下を向く面）には、ＬＥＤパッケージ２１が２つ以上直線状に並べられる。図３の（ａ）では、１つの基板２０の上に５つのＬＥＤパッケージ２１が等間隔に配置されている。
【００１５】
図３の（ｂ）はＬＥＤパッケージ２１の平面図である。
【００１６】
図３の（ｂ）に示すように、それぞれのＬＥＤパッケージ２１は、２つ以上のＬＥＤ２２を直線状に並べたものである。このようなＬＥＤパッケージ２１を基板２０の表面に直線状に並べることで、基板２０の上に複数のＬＥＤ２２を直線状に配置することができる。
【００１７】
図４の（ａ）は棚下用照明器具１０の側面図、図４の（ｂ）はその断面図であり、これらの図では、器具本体１１から端板１３を取り外した状態の棚下用照明器具１０を示している。
【００１８】
図４に示すように、リニアフレネルレンズ１２の表面（下を向く面）には、複数の直線状プリズム２３が設けられる。リニアフレネルレンズ１２は、複数の直線状プリズム２３の直線方向と器具本体１１の長手方向とが略平行になるように器具本体１１に設置される。器具本体１１の開口１８の縁部には、リニアフレネルレンズ１２を挿し込むための溝２４が形成されている。また、基板２０は、複数のＬＥＤパッケージ２１（複数のＬＥＤ２２）が並ぶ面がリニアフレネルレンズ１２と向き合い、かつ、複数のＬＥＤパッケージ２１が並ぶ直線方向とリニアフレネルレンズ１２の複数の直線状プリズム２３の直線方向とが略平行になるように器具本体１１に設置される。器具本体１１の内部には、基板２０を挿し込むための溝２５が形成されている。
【００１９】
図５の（ａ）は棚下用照明器具１０の斜視図であり、この図では、器具本体１１から端板１３を取り外した状態の棚下用照明器具１０を示している。図５の（ｂ）は端板１３の斜視図である。図５の（ｃ）も端板１３の斜視図であるが、この図では、分解された状態の端板１３を示している。
【００２０】
図５に示すように、端板１３には、基板２０との通電用の複数の銅板２６（電極）が設けられる。端板１３が器具本体１１に取り付けられた場合、端板１３の各々の銅板２６は、基板２０の上に設けられた端子２７（電極）と接触して、穴１７から引き込まれた電線１６の電流を基板２０に対して通電する。これにより、基板２０の上に配置された複数のＬＥＤパッケージ２１（複数のＬＥＤ２２）に電力が供給され、点灯可能となる。
【００２１】
図６の（ａ）は棚下用照明器具１０の側面図である。図６の（ｂ）は本実施の形態の変形例に係る棚下用照明器具１０の側面図である。これらの図では、矢印で光の照射方向を示している。
【００２２】
本実施の形態では、ネジ１４を端板１３の穴１５に挿通し、さらに、器具本体１１を下方から貫通させて棚板にねじ込むことにより、器具本体１１を棚下に取り付ける。このとき、端板１３の上面、器具本体１１の上面、基板２０の複数のＬＥＤパッケージ２１（複数のＬＥＤ２２）が並ぶ面、リニアフレネルレンズ１２の複数の直線状プリズム２３がある面は、いずれも略同じ方向、即ち、垂直方向を向いている。そのため、図６の（ａ）に示すように、この棚下用照明器具１０の複数のＬＥＤ２２を光源としてリニアフレネルレンズ１２から出射される光は、真下及びその周辺の方向に照射される。一方、本実施の形態の変形例では、端板１３が、器具本体１１に取り付けられたときに器具本体１１を一定の角度で傾かせるような構造をとっている。つまり、この例では、端板１３の上面のみが垂直方向を向いており、器具本体１１の上面、基板２０の複数のＬＥＤパッケージ２１（複数のＬＥＤ２２）が並ぶ面、リニアフレネルレンズ１２の複数の直線状プリズム２３がある面は、いずれも斜め方向を向いている。そのため、図６の（ｂ）に示すように、この棚下用照明器具１０から出射される光は、斜め下及びその周辺の方向に照射される。さらなる変形例として、この棚下用照明器具１０を棚下に取り付けるのではなく、上下逆向きに棚や床の上に置くことで、棚下用照明器具１０の光を斜め上向きに照射させることができる。
【００２３】
図７は棚下用照明器具１０の照射特性を示す図である。図８の（ａ）は図１と同様であるが、この図では、Ａ−Ａの矢印で棚下用照明器具１０の短手方向（以下、「Ａ−Ａ方向」という）を、Ｂ−Ｂの矢印で棚下用照明器具１０の長手方向（以下、「Ｂ−Ｂ方向」という）を、Ｃ−Ｃの矢印で棚下用照明器具１０の短手方向と長手方向の中間方向（以下、「Ｃ−Ｃ方向」という）を示している。同じ平面上でみると、Ａ−Ａ方向を０度とした場合、Ｂ−Ｂ方向は９０度、Ｃ−Ｃ方向は４５度に相当する。図８の（ｂ）は図４の（ａ）と同様であるが、この図では、器具本体１１の開口１８の幅をＸとし、リニアフレネルレンズ１２の複数の直線状プリズム２３がある面（図中の点を主点という）とＬＥＤパッケージ２１との間の最短距離、即ち、主点からＬＥＤパッケージ２１の前面までの距離をＹとし、リニアフレネルレンズ１２とＬＥＤパッケージ２１との間の最短距離、即ち、クリアランスをＺとして示している。
【００２４】
図７に示すように、本実施の形態では、リニアフレネルレンズ１２の複数の直線状プリズム２３を利用することで、複数のＬＥＤ２２を光源としてリニアフレネルレンズ１２から出射される光、即ち、棚下用照明器具１０から出射される光のＡ−Ａ方向における照射幅を、Ｂ−Ｂ方向における照射幅よりも狭くすることができる。一般的な棚板としては、幅よりも奥行が短いものが多いから、この棚下用照明器具１０を棚下に取り付けて使用することにより、好適な光の照射範囲を得ることができる。具体的には、棚下用照明器具１０からＡ−Ａ方向にて出射される光の１／２ビーム角が４０度以上７０度以下となることが望ましい。本実施の形態では、リニアフレネルレンズ１２と基板２０との位置関係を調整することで、このような照射特性を得ることができる。したがって、本実施の形態では、リニアフレネルレンズ１２と基板２０とが、棚下用照明器具１０から出射される光のＡ−Ａ方向（器具本体１１の短手方向）における１／２ビーム角が４０度以上７０度以下となる位置関係をもつように器具本体１１に設置されることが望ましい。このとき、器具本体１１の開口１８のＡ−Ａ方向における幅、即ち、Ｘは１０ミリメートル以上１２ミリメートル以下となる。そして、複数のＬＥＤ２２のリニアフレネルレンズ１２を向く面とリニアフレネルレンズ１２の複数の直線状プリズム２３が設けられた面との間の距離、即ち、Ｙは２．３ミリメートル以上４．３ミリメートル以下となる。例えば、リニアフレネルレンズ１２の厚さが２ミリメートルの場合、クリアランス、即ち、Ｚを１ミリメートル程度とることが望ましく、この場合、Ｙの好適な距離は約３ミリメートルとなる。図７では、ＬＥＤ２２として、１／２ビーム角が１２０度となる照射特性をもつものを用いた実験の結果を示しており、棚下用照明器具１０のＢ−Ｂ方向における１／２ビーム角が約１２０度となっている。そして、棚下用照明器具１０のＡ−Ａ方向における１／２ビーム角は、実際に４０度以上７０度以下となっている。
【００２５】
このように、本実施の形態では、基板２０の複数のＬＥＤ２２が直線状に並ぶ面が、表面に複数の直線状プリズム２３を設けたリニアフレネルレンズ１２と向き合い、かつ、複数のＬＥＤ２２が並ぶ直線方向と複数の直線状プリズム２３の直線方向とが略平行になるように棚下用照明器具１０が構成されているため、棚下用照明器具１０の光の照射範囲を様々な棚板のサイズなどに合わせることが可能である。また、これにより、無駄な光の照射量が少なくなる。即ち、光の照射効率が向上する。
【００２６】
実施の形態２．
本実施の形態について、主に実施の形態１との差異を説明する。
【００２７】
図９の（ａ）は本実施の形態に係る棚下用照明器具１０の側面図であり、この図では、器具本体１１から端板１３を取り外した状態の棚下用照明器具１０を示している。
【００２８】
図９の（ａ）に示すように、本実施の形態では、器具本体１１の開口１８の縁部に、リニアフレネルレンズ１２を異なる位置に挿し込むための複数の溝２４，２４’が形成されている。そのため、リニアフレネルレンズ１２を異なる溝２４，２４’に挿し込むことにより、棚下用照明器具１０を棚下に取り付けた後であっても、光の照射範囲を調整（変更）することが可能となる。
【００２９】
それぞれの溝２４，２４’には、リニアフレネルレンズ１２以外にも、様々な種類のカバーなどを挿し込むことができる。例えば、いずれかの溝２４，２４’に紫外線カットフィルタを挿し込むことにより、光の照射対象、即ち、棚に配置される物の品質劣化を抑制することが可能となる。また、例えば、複数の溝２４，２４’のいずれか１つ（１対）にリニアフレネルレンズ１２を挿し込み、他の１つに紫外線カットフィルタを挿し込む、といった形態も実施可能である。
【００３０】
実施の形態３．
本実施の形態について、主に実施の形態１との差異を説明する。
【００３１】
図９の（ｂ）は本実施の形態に係る棚下用照明器具１０の斜視図である。
【００３２】
図９の（ｂ）に示すように、本実施の形態では、リニアフレネルレンズ１２の表面の一部分にのみ、実施の形態１と同様の複数の直線状プリズム２３が設けられ、リニアフレネルレンズ１２の表面の他の部分には、形状又は向きの異なるプリズムが設けられる。これにより、１つの棚下用照明器具１０において、光の照射位置によって異なる配光を実現することができる。
【００３３】
実施の形態４．
本実施の形態について、主に実施の形態１との差異を説明する。
【００３４】
図１０の（ａ）は図４の（ａ）と同様であり、実施の形態１に係る棚下用照明器具１０の側面図である。図１０の（ｂ）は本実施の形態に係る棚下用照明器具１０の側面図である。これらの図では、器具本体１１から端板１３を取り外した状態の棚下用照明器具１０を示している。また、図１１の（ａ）は図１０の（ａ）と同様であり、図１１の（ｂ）は図１０の（ｂ）と同様であるが、これらの図では、矢印で光の照射方向を示している。
【００３５】
図１０に示すように、本実施の形態では、リニアフレネルレンズ１２が実施の形態１とは異なる向きで器具本体１１に挿し込まれる。つまり、リニアフレネルレンズ１２は、その複数の直線状プリズム２３がある面が、基板２０の複数のＬＥＤパッケージ２１（複数のＬＥＤ２２）が並ぶ面と向き合うように、器具本体１１に設置される。これにより、図１１に示すように、本実施の形態では、実施の形態１と異なる配光を実現することができる。
【００３６】
実施の形態５．
本実施の形態について、主に実施の形態１との差異を説明する。
【００３７】
図１２の（ａ）は本実施の形態に係る棚下用照明器具１０の側面図であり、この図では、器具本体１１から端板１３を取り外した状態の棚下用照明器具１０を示している。
【００３８】
図１２の（ａ）に示すように、本実施の形態では、器具本体１１の内部に、基板２０を異なる位置に挿し込むための複数の溝２５，２５’が形成されている。そのため、基板２０を異なる溝２５，２５’に挿し込むことにより、棚下用照明器具１０を棚下に取り付けた後であっても、光の照射範囲を調整（変更）することが可能となる。
【００３９】
実施の形態６．
本実施の形態について、主に実施の形態１との差異を説明する。
【００４０】
図１２の（ｂ）は本実施の形態に係る棚下用照明器具１０の側面図である。この図では、器具本体１１から端板１３を取り外し、さらに、リニアフレネルレンズ１２を抜き取った状態の棚下用照明器具１０を示している。
【００４１】
図１２の（ｂ）に示すように、本実施の形態では、器具本体１１の内部に、基板２０の片側を引っ掛けるための係止片２８が設けられる。基板２０は、片側が係止片２８に引っ掛けられ、他の片側が器具本体１１にネジ止めされる。これにより、基板２０を溝２５に挿し込んだ場合よりも器具本体１１の内部上面に密着させることが容易となり、器具本体１１による基板２０の放熱性が向上する。
【００４２】
実施の形態７．
本実施の形態について、主に実施の形態１との差異を説明する。
【００４３】
図１３の（ａ）は本実施の形態に係る棚下用照明器具１０の器具本体１１の斜視図である。
【００４４】
図１３の（ａ）に示すように、本実施の形態では、器具本体１１の上面、即ち、棚下に取り付けられる面に凹凸が設けられる。これにより、器具本体１１の放熱性が向上する。
【００４５】
実施の形態８．
本実施の形態について、主に実施の形態７との差異を説明する。
【００４６】
図１３の（ｂ）は本実施の形態に係る棚下用照明器具１０の器具本体１１の斜視図である。
【００４７】
図１３の（ｂ）に示すように、本実施の形態では、器具本体１１の長手方向に凹凸が形成されている。即ち、放熱用の凹凸が基板２０と直行している。これにより、器具本体１１の放熱性がさらに向上する。
【００４８】
実施の形態９．
本実施の形態について、主に実施の形態１との差異を説明する。
【００４９】
図１４の（ａ）、（ｂ）は本実施の形態に係る棚下用照明器具１０，１０’の斜視図である。図１４の（ａ）では、棚下用照明器具１０と他の棚下用照明器具１０’とが共通の端板１３により連結された状態を示している。図１４の（ｂ）では、棚下用照明器具１０と他の棚下用照明器具１０’とが連結される前の状態を示している。
【００５０】
図１４に示すように、端板１３は、棚下用照明器具１０の器具本体１１と他の棚下用照明器具１０’の器具本体１１とを連結するような構造をとっている。端板１３には、棚下用照明器具１０の基板２０と棚下用照明器具１０’の基板２０’との通電用の複数の銅板２６，２６’が設けられる（銅板２６は図示していないが、端板１３の銅板２６’がある側と反対側に設けられているものとする）。つまり、端板１３が器具本体１１と器具本体１１’とを連結するように取り付けられた場合、端板１３の各々の銅板２６が、基板２０の上に設けられた端子２７と接触し、端板１３の各々の銅板２６’が、基板２０’の上に設けられた端子２７’と接触して、基板２０と基板２０’との間を通電する。これにより、複数の棚下用照明器具１０，１０’を連結して使用する場合でも、器具間を連結するための電線スペースを確保する必要がなくなり、器具を小型化することができる。小型化により、施工性も向上する。
【００５１】
図１５の（ａ）は本実施の形態の変形例に係る棚下用照明器具１０，１０’の斜視図であり、この図では、棚下用照明器具１０と他の棚下用照明器具１０’とが共通の端板１３により連結された状態を示している。図１５の（ｂ）は本実施の形態の変形例に係る棚下用照明器具１０の斜視図であるが、この図では、棚下用照明器具１０を連結する端板１３ではなく、棚下用照明器具１０への電力供給用の電線１６を引き込む端板１３の形状の変更例を示している。
【００５２】
図１５に示すように、端板１３の形状を変えるだけで、様々な形態が実施可能となる。これにより、さらに施工性が向上する。
【００５３】
実施の形態１０．
本実施の形態について、主に実施の形態１との差異を説明する。
【００５４】
図１６の（ａ）は本実施の形態に係る棚下用照明器具１０の端板１３の斜視図、図１６の（ｂ）はその側面図である。
【００５５】
図１６に示すように、本実施の形態では、端板１３に支持軸２９と支持板３０と穴３１とが設けられる。支持軸２９は、器具本体１１に挿嵌されて器具本体１１を内部から支持する。支持板３０は、器具本体１１を係止して器具本体１１を外部から支持する。穴３１は、棚下用照明器具１０への電力供給用の電線１６を通すためのものである。
【００５６】
例えば、多角形の支持軸２９を用いる場合、器具本体１１において支持軸２９が挿入される部分の形状を支持軸２９の形状と合わせることで、その部分に支持軸２９が嵌まり、器具本体１１をいくつかの決まった角度で固定することができる。この場合、支持軸２９が挿嵌される角度に応じて、器具本体１１の向きが決まる。したがって、器具本体１１に支持軸２９を挿嵌する角度に応じて、棚下用照明器具１０から出射される光の照射角度を調整することが可能となる。このとき、支持板３０は必須ではないが、支持板３０により器具本体１１を外部から支持することで、器具本体１１を安定させることができる。
【００５７】
また、例えば、丸形の支持軸２９を用いる場合、器具本体１１において支持軸２９が挿入される部分の形状を支持軸２９の形状と合わせることで、支持軸２９を回転軸として器具本体１１の向きを変えることができる。このとき、支持板３０の形状を、器具本体１１をある決まった角度で固定するようなものとすることで、器具本体１１の向きを決めることができる。このとき、多角形の支持板３０を用いれば、器具本体１１を支持板３０で係止する角度に応じて、棚下用照明器具１０から出射される光の照射角度を調整することも可能となる。
【００５８】
以上、本発明の実施の形態について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【図面の簡単な説明】
【００５９】
【図１】実施の形態１に係る照明器具の斜視図である。
【図２】実施の形態１に係る照明器具の正面図、底面図及び側面図である。
【図３】実施の形態１に係る照明器具の斜視図及びＬＥＤパッケージの平面図である。
【図４】実施の形態１に係る照明器具の側面図及び断面図である。
【図５】実施の形態１に係る照明器具の斜視図及び端部の斜視図である。
【図６】実施の形態１に係る照明器具の側面図及び実施の形態１の変形例に係る照明器具の側面図である。
【図７】実施の形態１に係る照明器具の照射特性を示す図である。
【図８】実施の形態１に係る照明器具の斜視図及び側面図である。
【図９】実施の形態２に係る照明器具の側面図及び実施の形態３に係る照明器具の斜視図である。
【図１０】実施の形態１に係る照明器具の側面図及び実施の形態４に係る照明器具の側面図である。
【図１１】実施の形態１に係る照明器具の側面図及び実施の形態４に係る照明器具の側面図である。
【図１２】実施の形態５に係る照明器具の側面図及び実施の形態６に係る照明器具の側面図である。
【図１３】実施の形態７に係る照明器具の器具本体の斜視図及び実施の形態８に係る照明器具の器具本体の斜視図である。
【図１４】実施の形態９に係る照明器具の斜視図である。
【図１５】実施の形態９の変形例に係る照明器具の斜視図である。
【図１６】実施の形態１０に係る照明器具の端部の斜視図及び側面図である。
【符号の説明】
【００６０】
１０  棚下用照明器具、１１  器具本体、１２  リニアフレネルレンズ、１３  端板、１４  ネジ、１５  穴、１６  電線、１７  穴、１８  開口、１９  溝、２０  基板、２１  ＬＥＤパッケージ、２２  ＬＥＤ、２３  直線状プリズム、２４  溝、２５  溝、２６  銅板、２７  端子、２８  係止片、２９  支持軸、３０  支持板、３１  穴。
【図１】
2008218186.tif 000003
【図２】
2008218186.tif 000004
【図３】
2008218186.tif 000005
【図４】
2008218186.tif 000006
【図５】
2008218186.tif 000007
【図６】
2008218186.tif 000008
【図７】
2008218186.tif 000009
【図８】
2008218186.tif 000010
【図９】
2008218186.tif 000011
【図１０】
2008218186.tif 000012
【図１１】
2008218186.tif 000013
【図１２】
2008218186.tif 000014
【図１３】
2008218186.tif 000015
【図１４】
2008218186.tif 000016
【図１５】
2008218186.tif 000017
【図１６】
2008218186.tif 000018